(57)【要約】      （修正有）【課題】迅速に固定でき、且つ省力化できる複数面吸着機能付き迅速固定磁気台を提供する。【解決手段】ワークを吸着するための磁気吸着工作テーブル面３０を上面に有する、上面、下面、及び４つの側面を有する直方体形状の永久磁石からなる第１磁気ブロック１０Ａと、工作テーブルに吸着するための磁気吸着固定テーブル面３１を下面に有し、上面が第１磁気ブロックの下面と接触して結合される、第１磁気ブロックと同一寸法の第２磁気ブロック１１と、各々、第１、第２磁気ブロックの側面の１つの中央に設けられた開口を介して、第１、第２磁気ブロックの内部に回動しながら水平に挿入され、回動により挿入位置を変更すると、第１、第２磁気ブロックの発生する磁力線分布を変更する第１及び第２挿入ロッド２０Ａ，２１とを備える。【選択図】図２
0003163701.tif 000002
【実用新案登録請求の範囲】
【請求項１】
ワーク（４０Ａ）を吸着し、工作テーブル（５０）に吸着する複数面吸着機能付き迅速固定磁気台において、
前記ワークを吸着するための磁気吸着工作テーブル面（３０）を上面に有する、前記上面、下面、及び４つの側面を有する直方体形状の永久磁石からなる第１磁気ブロック（１０Ａ）と、
前記工作テーブル（５０）に吸着するための磁気吸着固定テーブル面（３１）を下面に有し、上面が前記第１磁気ブロックの下面と接触して結合される、第１磁気ブロックと同一寸法の第２磁気ブロック（１１）と、
前記第１磁気ブロックの側面の１つの中央に設けられた開口を介して、前記第１磁気ブロックの内部に回動しながら水平に挿入され、回動により挿入位置を変更すると、前記第１磁気ブロックの発生する磁力線分布を変更する第１挿入ロッド（２０Ａ）と、
前記第２磁気ブロック側面の１つの中央に設けられた開口を介して、前記第２磁気ブロックの内部に回動しながら水平に挿入され、回動により挿入位置を変更すると、前記第２磁気ブロックの発生する磁力線分布を変更する第２挿入ロッド（２１）と、
を備えることを特徴とする複数面吸着機能付き迅速固定磁気台。
【請求項２】
前記磁気吸着工作テーブル面（３０）と前記磁気吸着固定テーブル面（３１）とは、前記結合された第１、第２磁気ブロック全体の互いに反対する面に設けられることを特徴とする、請求項１に記載の複数面吸着機能付き迅速固定磁気台。
【請求項３】
前記第１磁気ブロックは、上面、下面、及び前後左右の４つの側面を有する直方体形状の永久磁石からなる第１右磁気ブロック（１２）と、同寸法の永久磁石からなる第１左磁気ブロック（１３）と、を含み、
前記第１挿入ロッドは、棒状の永久磁石からなる第１右挿入ロッド（２２）と、同寸法の永久磁石からなる第１左挿入ロッド（２３）と、を含み、
前記第１右磁気ブロック（１２）はその右側面に、ワーク（４０Ｂ）を吸着するための右磁気吸着工作テーブル面（３２）を有し、
前記第１左磁気ブロック（１３）はその左側面に、別のワーク（４０Ｂ）を吸着するための左磁気吸着工作テーブル面（３３）を有し、
前記第１右磁気ブロックの左側面と前記第１左磁気ブロックの右側面は接触して結合され、結合された第１右磁気ブロックと第１左磁気ブロックの全体の寸法は、前記第２磁気ブロックと同一寸法であり、
前記第１右磁気ブロック（１２）の前側面中央に設けられた開口を介して前記第１右挿入ロッド（２２）が回動しながら水平に挿入され、前記第１左磁気ブロック（１３）の前側面中央に設けられた開口を介して前記第１左挿入ロッド（２３）が回動しながら水平に挿入されることを特徴とする、請求項１に記載の複数面吸着機能付き迅速固定磁気台。
【考案の詳細な説明】
【技術分野】
【０００１】
本考案は、磁氣ディスクに関し、特に、複数面吸着機能付き迅速固定磁気台に関するものである。
【背景技術】
【０００２】
図１に示すのは、特許文献１に記載の「スイッチ式永久磁気工作台取付具」である。本「スイッチ式永久磁気工作台取付具」は、上面、下面、４つの側面を有する概ね直方体形状の永久磁石からなる磁氣ブロック（ディスク）１と、吸着面２と、永久磁石からなる挿入ロッド３と、固定子４と、を含み、吸着面２と固定子４とがそれぞれ磁氣ブロック１の上面と下面に設けられている。
挿入ロッド（シャフト）３は、磁氣ブロック１の側面の一つの中央に設けられた開口を介して磁気ブロックの内部に回動しながら水平に挿入される。
挿入ロッド３の回動により挿入ロッド３の挿入位置を変更すると、磁氣ブロック１の発生する磁力線の分布が変更され、吸着面２の磁気の有無の切替えが可能になる。
また、固定子４により「スイッチ式永久磁気工作台取付具」を工作テーブルに締結できる。吸着面２が磁気を有する場合には、ワークを吸着でき、他方、吸着面２に磁気が無い場合には、吸着面２がワークを吸着できなくなり、吸着面２からワークを容易に取外すことができる。
【０００３】
次に、特許文献１に記載の「スイッチ式永久磁気工作台取付具」の使用方法を説明する。
まず、固定子４により前記工作テーブルに磁気ディスクを締結して、吸着面２に磁気が無い状態で吸着面２にワークを所定位置にセットし、挿入ロッド３を回動して吸着面２が磁気を有すると、前記ワークが吸着されて固定する。
なお、前記ワークを取外したいときには、挿入ロッド３を回動して吸着面２の磁気を消すと、吸着面２から前記ワークを容易に取外すことができる。
しかしながら、上記の構成によれば、磁気ブロックの固定が固定子の機械的締結に依存しているので、運用中に固定子４が緩む恐れがあり、さらに締結の実施は極めて面倒であった。
【先行技術文献】
【特許文献】
【０００４】
【特許文献１】台湾特許第０９３２０８５２８号
【考案の概要】
【考案が解決しようとする課題】
【０００５】
本考案の主な目的は、迅速に固定することができ、且つ省力化できる複数面吸着機能付き迅速固定磁気台を提供することにある。
【課題を解決するための手段】
【０００６】
本考案の複数面吸着機能付き迅速固定磁気台によると、ワークを吸着し、工作テーブルに吸着する複数面吸着機能付き迅速固定磁気台において、
前記ワークを吸着するための磁気吸着工作テーブル面を上面に有する、前記上面、下面、及び４つの側面を有する直方体形状の永久磁石からなる第１磁気ブロックと、前記工作テーブルに吸着するための磁気吸着固定テーブル面を下面に有し、上面が前記第１磁気ブロックの下面と接触して結合される、第１磁気ブロックと同一寸法の第２磁気ブロックと、前記第１磁気ブロックの側面の１つの中央に設けられた開口を介して、前記第１磁気ブロックの内部に回動しながら水平に挿入され、回動により挿入位置を変更すると、前記第１磁気ブロックの発生する磁力線分布を変更する第１挿入ロッドと、前記第２磁気ブロック側面の１つの中央に設けられた開口を介して、前記第２磁気ブロックの内部に回動しながら水平に挿入され、回動により挿入位置を変更すると、前記第２磁気ブロックの発生する磁力線分布を変更する第２挿入ロッドと、を備えることを特徴とする。
【０００７】
本考案の複数面吸着機能付き迅速固定磁気台によると、好ましくは、前記磁気吸着工作テーブル面と前記磁気吸着固定テーブル面とは、前記結合された第１、第２磁気ブロック全体の互いに反対する面に設けられることを特徴とする。
【０００８】
本考案の複数面吸着機能付き迅速固定磁気台によると、好ましくは、前記第１磁気ブロックは、上面、下面、及び前後左右の４つの側面を有する直方体形状の永久磁石からなる第１右磁気ブロックと、同寸法の永久磁石からなる第１左磁気ブロックと、を含み、前記第１挿入ロッドは、棒状の永久磁石からなる第１右挿入ロッドと、同寸法の永久磁石からなる第１左挿入ロッドと、を含み、前記第１右磁気ブロックはその右側面に、ワークを吸着するための右磁気吸着工作テーブル面を有し、前記第１左磁気ブロックはその左側面に、別のワークを吸着するための左磁気吸着工作テーブル面を有し、前記第１右磁気ブロックの左側面と前記第１左磁気ブロックの右側面は接触して結合され、結合された第１右磁気ブロックと第１左磁気ブロックの全体の寸法は、前記第２磁気ブロックと同一寸法であり、
前記第１右磁気ブロックの前側面中央に設けられた開口を介して前記第１右挿入ロッドが回動しながら水平に挿入され、前記第１左磁気ブロックの前側面中央に設けられた開口を介して前記第１左挿入ロッドが回動しながら水平に挿入されることを特徴とする。
【考案の効果】
【０００９】
本考案の複数面吸着機能付き迅速固定磁気台によれば、第１挿入ロッドの回動挿入により第１磁気ブロックの磁界分布が変更され、第２挿入ロッドの回動挿入により第２磁気ブロックの磁界分布が変更されるので、磁気吸着工作テーブル面と磁気吸着固定テーブル面に発生する、磁気による吸着力の大きさを制御し、実質的に吸着力の有無を切替えることができる。従って、工作テーブルに本考案の複数面吸着機能付き迅速固定磁気台を迅速に固定すると共に、磁気吸着工作テーブル面にワークを迅速に固定できる。永久磁石の磁気による吸着力を採用しているので、迅速に固定着脱でき、且つ省力化もできるという効果を有する。
【図面の簡単な説明】
【００１０】
【図１】従来のスイッチ式磁気台の構造を示す模式図である。
【図２】本考案のスイッチ式磁気台の構造を示す模式図である。
【図３】本考案のスイッチ式磁気台の使用状態を示す模式図である。
【図４】本考案のスイッチ式磁気台の別の実施形態の構造を示す模式図である。
【図５】本考案のスイッチ式磁気台の別の実施形態の使用状態を示す模式図である。
【考案を実施するための形態】
【００１１】
以下、本考案の実施の形態を図面に基づいて説明する。
（第１実施形態）
まず、図２及び図３を参照する。本考案は、上面、下面、及び４つの側面を有する直方体形状の永久磁石からなる第１磁気ブロック１０Ａと、同寸法の永久磁石からなる第２磁気ブロック１１と、棒状の永久磁石からなる第１挿入ロッド２０Ａと、同寸法の永久磁石からなる第２挿入ロッド２１と、を含む。第１磁気ブロック１０Ａはその上面に、ワーク４０Ａを吸着するための磁気吸着工作テーブル面３０を有する。第２磁気ブロック１１はその下面に、工作テーブル５０に吸着するための磁気吸着固定テーブル面３１を有する。第１磁気ブロック１０Ａの下面と第２磁気ブロック１１の上面は接触して結合され、その結果、磁気吸着工作テーブル面３０と磁気吸着固定テーブル面３１は、それぞれ、結合された第１、第２磁気ブロック全体の上面と下面に位置する。
【００１２】
第１挿入ロッド２０Ａは、第１磁気ブロック１０Ａの側面の１つの中央に設けられた開口を介して第１磁気ブロック１０Ａの内部に回動しながら水平に挿入される。
第１挿入ロッド２０Ａを回動することにより第１挿入ロッド２０Ａの挿入位置を変更すると、第１磁気ブロック１０Ａの発生する磁力線の分布が変更され、第１磁気ブロック１０Ａの上面及び下面の磁気による吸着力の大きさを制御し、実質的に吸着力の有無を切替えることができる。
同じように、第２挿入ロッド２１は、第２磁気ブロック１１の側面の１つの中央に設けられた開口を介して第２磁気ブロック１１の内部に回動しながら水平に挿入される。
第２挿入ロッド２１を回動することにより、第２磁気ブロック１１の上面及び下面の磁気による吸着力の大きさを制御し、実質的に吸着力の有無を切替えることができる。
図３に示すように、第１磁気ブロック１０Ａと第２磁気ブロック１１とは、磁気による吸着力を有する状態では、相互に吸着し、ワーク４０Ａを吸着し、且つ工作テーブル５０に吸着される。
【００１３】
（第２実施形態）
図４及び図５は、本考案の第２実施形態を示す。本実施の形態の複数面吸着機能付き迅速固定磁気台では、上記第１実施形態の場合と異なり、第１磁気ブロック１０Ｂは、更に、上面、下面、及び前後左右の４つの側面を有する直方体形状の永久磁石からなる第１右磁気ブロック１２と、同寸法の永久磁石からなる第１左磁気ブロック１３と、を含み、第１挿入ロッド２０Ｂは、棒状の永久磁石からなる第１右挿入ロッド２２と、同寸法の永久磁石からなる第１左挿入ロッド２３と、を備える。
第１右磁気ブロック１２の左側面と第１左磁気ブロック１３の右側面は接触して結合され、結合された第１右磁気ブロック１２と第１左磁気ブロック１３の全体の寸法は、第２磁気ブロック１１と同寸法である。
第１右磁気ブロック１２はその右側面に、ワーク４０Ｂを吸着するための右磁気吸着工作テーブル面３２を有する。第１左磁気ブロック１３はその左側面に、ワーク４０Ｂを吸着するための左磁気吸着工作テーブル面３３を有する。
【００１４】
第１右磁気ブロック１２の前側面中央に設けられた開口を介して第１右挿入ロッド２２が回動しながら水平に挿入され、第１左磁気ブロック１３の前側面中央に設けられた開口を介して第１左挿入ロッド２３が回動しながら水平に挿入される。
第１右挿入ロッド２２を回動することにより、第１右磁気ブロック１２の磁気分布を変更することができ、第１右磁気ブロック１２の磁気による吸着力の有無を切替えることができる。
第１左挿入ロッド２３を回動することにより、第１左磁気ブロック１３の磁気分布を変更することができ、第１左磁気ブロック１３の磁気による吸着力の有無を切替えることができる。
第２挿入ロッド２１は、上記第１実施形態の場合と同様に、第２磁気ブロック１１の側面の１つ（この場合、後側面）の中央に設けられた開口を介して回動しながら水平に挿入される。
【００１５】
図５に示すように、第２挿入ロッド２１を回動することにより、第２磁気ブロック１１が磁気による吸着力を有するときには、第２磁気ブロック１１を工作テーブル５０に吸着することができる。なお、第１右挿入ロッド２２を回動することにより、第１右磁気ブロック１２が磁気による吸着力を有するときには、右磁気吸着工作テーブル面３２にワーク４０Ｂを吸着することができる。第１左挿入ロッド２３を回転することにより、第１左磁気ブロック１３が磁気による吸着力を有するときには、左磁気吸着工作テーブル面３３に別のワーク４０Ｂを吸着することができる。そうすると、例えば図示したような、断面が‘Ｌ’字型のワーク４０Ｂ、４０Ｂのように特殊な形状のワークを加工することができる。
【００１６】
このように、本考案を、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかるであろう。
【産業上の利用可能性】
【００１７】
本考案は、磁気台に適用することができる。
【符号の説明】
【００１８】
１    磁氣ブロック（ディスク）、
２    吸着面、
３    挿入ロッド（シャフト）、
４    固定子、
１０Ａ  第１磁気ブロック、
１０Ｂ  第１磁気ブロック、
１１    第２磁気ブロック、
１２    第１右磁気ブロック、
１３    第１左磁気ブロック、
２０Ａ  第１挿入ロッド、
２０Ｂ  第１挿入ロッド、
２１    第２挿入ロッド、
２２    第１右挿入ロッド、
２３    第１左挿入ロッド、
３０    磁気吸着工作テーブル面、
３１    磁気吸着固定テーブル面、
３２    右磁気吸着工作テーブル面、
３３    左磁気吸着工作テーブル面、
４０Ａ  ワーク、
４０Ｂ  ワーク、
５０    工作テーブル。
【図１】
0003163701.tif 000003
【図２】
0003163701.tif 000004
【図３】
0003163701.tif 000005
【図４】
0003163701.tif 000006
【図５】
0003163701.tif 000007